(57)【要約】【課題】  施工が簡単で製品の表面の硬度、強度を高めることができる金属シートを提供することを課題とする。【解決手段】金属製品と、シート層とを含んでなり、金属製品が非焼結の金属製品で、金属粉末と樹脂を具えてなり、シート層が、背面に粘着層とシートを具えてなり、シート層の表面を非焼結金属製品に固定して、シート層の表面に金属製品を設け、シートをはがすと直接施工する製品に貼着することができる構造からなる。【選択図】図２
0003168209.tif 000002
【実用新案登録請求の範囲】
【請求項１】
金属製品と、シート層とを含んでなり、
金属製品が非焼結の金属製品で、金属粉末と樹脂を具えてなり、シート層が、背面に粘着層とシートを具えてなり、シート層の表面を非焼結金属製品に固定して、シート層の表面に金属製品を設け、シートをはがすと直接施工する製品に貼着することができる構造からなることを特徴とする金属シート。
【請求項２】
前記金属製品が表面を研磨、バッフィング、或いは透明なフィルムを塗布するなどして加工することを特徴とする請求項１に記載の金属シート。
【請求項３】
前記シート層が、紙、樹皮、皮状のビニール、皮状のアルミ、皮状の布の底材であることを特徴とする請求項１に記載の金属シート。
【考案の詳細な説明】
【技術分野】
【０００１】
この考案は、金属シートであって、特に背面の紙をはがすと貼着することができる金属シートに関する。
【背景技術】
【０００２】
従来の金属製品は成型後にさらに様々な加工をして各種形状の製品に加工することができる。
【０００３】
生産及び成型の過程では、大量の汚染、排水、廃材が発生するとともに、エネルギーを消費する、重量が重いなどの欠点があった。
【０００４】
よって、プラスチックや木材などが金属製品に変わって次第に非金属物質として代用されるようになった。
【０００５】
前述の製品は軽量だが、硬度が金属製品に及ばず、表面の光沢、色彩、質感などがいずれも金属とは比較にならない。
【０００６】
よって、それらの製品は適宜に使用することができても金属製品の完全な代用品として使用することはできない。
【０００７】
そこで業者は成型したプラスチック、或いは木材表面に漆層を設けて、該漆層で金属のような色彩に似せようとしたが、金属の色彩とは半分ほどしか似ておらず、一度触ると金属でないことが分かり、耐久性にも乏しい。
【０００８】
また、表面に漆が施された製品を長期間使用すると、漆がはがれるなどの状況が発生する。
【０００９】
さらに、漆は金属の代わりに使用することができず、耐熱性に欠け、引火し易いなどの性質がある。
【００１０】
業者は非焼結の金属として高温で焼結せずに、金属の粉末と樹脂とを均一に混ぜて金属の流体を形成し、金属の流体を注ぐ、或いは塗布して金属製品を形成する製品を発明した。
【００１１】
前述の製品は、従来の金属に代わって製品の表面を強化するとともに、金属の色を具えた製品を製造することができる。
【００１２】
即ち、金属製品の表面をすばやく酸化させ、鉄を酸化して鉄錆の色に変色させる、銅を酸化して緑青色や古い酸化銅の色に変色させる。
【００１３】
そこで需要に基づいて透明な漆を塗布し、古金属に似た色を保持する。
【００１４】
これらの製品は大量の金属原料やエネルギーを大量に消費する必要がないためエネルギーを節減し、環境を汚染することなく環境を保護して生産することができて人体に与える影響も低い。
【００１５】
また、木製材料、或はプラスチック材料の硬度や強度も高めることができて、使用寿命が延長でき、表面の耐摩擦性も高めることができる。
【００１６】
上述の製品は幾度も試作を重ね、求められた品質を提供できるようになり、好評を受けた。
【００１７】
よって製品は多くの建材、装飾品、日用品などに使用するため、厚さを必要としない薄い金属層を必要な場合に使用されている。
【００１８】
しかしながら、該金属層を具えた製品を固定するためには従来の接着剤、セメント、釘、ネジなどで位置決め固定しなければならないため施工上不便で、施工の品質、時間、効率、コスト及び美観に影響を与える。
【考案の開示】
【考案が解決しようとする課題】
【００１９】
この考案は、施工が簡単で製品の表面の硬度、強度を高めることができる金属シートを提供することを課題とする。
【課題を解決するための手段】
【００２０】
そこで、本考案者は従来の技術に見られる欠点に鑑みて鋭意研究を重ねた結果、金属製品と、シート層とを含んでなり、金属製品が非焼結の金属製品で、金属粉末と樹脂を具えてなり、シート層が、背面に粘着層とシートを具えてなり、シート層の表面を非焼結金属製品に固定して、シート層の表面に金属製品を設け、シートをはがすと直接施工する製品に貼着することができる金属シートによって課題を解決できる点に着眼し、かかる知見に基づいて本考案を完成させた。
【００２１】
以下、この考案について具体的に説明する。請求項１に記載する金属シートは、金属製品と、シート層とを含んでなり、金属製品が非焼結の金属製品で、金属粉末と樹脂を具えてなり、シート層が、背面に粘着層とシートを具えてなり、シート層の表面を非焼結金属製品に固定して、シート層の表面に金属製品を設け、シートをはがすと直接施工する製品に貼着することができる。
【００２２】
請求項２に記載する金属シートは、請求項１における金属製品が表面を研磨、バッフィング、或は透明なフィルムを塗布するなどして加工する。
【００２３】
請求項３に記載する金属シートは、請求項１におけるシート層が、紙、樹皮、皮状のビニール、皮状のアルミ、皮状の布の底材である。
【考案の効果】
【００２４】
この考案の金属シートは、簡単に施工できて実用的であるとともに、コストを節減するという効果を有する。
【考案を実施するための最良の形態】
【００２５】
この考案は、施工が簡単で製品の表面の硬度、強度を高めることができる金属シートであって、金属製品と、シート層とを含んでなり、金属製品が非焼結の金属製品で、金属粉末と樹脂を具えてなり、シート層が、背面に粘着層とシートを具えてなり、シート層の表面を非焼結金属製品に固定して、シート層の表面に金属製品を設け、シートをはがすと直接施工する製品に貼着することができる構造からなる金属シートの構造と特徴を詳述するために具体的な実施例を挙げ、図示を参照にして以下に説明する。
【実施例】
【００２６】
図１から図３は、この考案の金属シートを示したものである。
【００２７】
図面によれば、金属製品１と、シート層２とを含んでなる。該シート層２は背面に粘着層とシート３が設けられる。
【００２８】
非焼結の金属製品１をシート層２の表面に固定すると、シート層２表面に金属製品１が具えられる。
【００２９】
シート層２は、紙、樹皮、皮状のビニール、皮状のアルミ、皮状の布などから形成する。
【００３０】
該シート３は簡単にはがすことができ、シート層２の背面は粘着性を具えてなり、金属シート１０を施工する製品上に直接貼着することができる。
【００３１】
金属製品１は従来の製品で申請しているように、非焼結の金属製品で金属の粉末と樹脂から形成する。
【００３２】
高温で溶解させる必要がなく、均一に混合する。金属の粉末は金、銀、銅、鉄、アルミ、錫、ニッケル、チタン、亜鉛、鉛などから選択するか、或は複数を混合した粉末から形成し、需要によって決定する。
【００３３】
金属の粉末にはナノの粉末を使用することができ、樹脂は有機樹脂、無機樹脂、水性樹脂、油性樹脂、或は合成樹脂からなる。
【００３４】
金属の粉末が占める割合は樹脂が占める割合よりも大きく、金属の粉末の質量は従来の金属成分の十分の一から千分の一になる。
【００３５】
塗布、回転させて塗る、かける、はけで塗るなどの方法で金属製品１（金属の流体）をシート層２に設ける。
【００３６】
成型した後、金属製品１の表面に必要な処理を施す。表面の処理には研磨、バッフィング、透明な漆を塗布するなどを含む。
【００３７】
研磨は、やすりで磨いてバッフィングまで実施し、金属製品１の表面が金属としての色を具えてなり、バッフィング終了後の状況により透明な漆を塗布するか否かを決定する。
【００３８】
表面処理は製品を急速に酸化させる。化学物質を採用して、鉄が酸化して鉄錆の色に変色する、銅が酸化して緑青色に変色する、古銅の色に変色するなど金属製品の表面を急速に酸化させて需要に応じて透明な漆を塗布するか否かを決定し、鉄錆の色（或は緑青色）の状態を維持する。
【００３９】
塗布する透明な漆は酸化を継続させず、加工したときの鉄錆（緑青）の状態を維持して古い金属の色に似せた状態にすることができる。
【００４０】
この考案の金属シートは上述の構造からなり、使用する場合、シート３をはがすだけで金属シート１０の背面を施工する製品上に貼着することができる。
【００４１】
よって、ドア板、装飾用の壁、テーブル、手すり、装飾品、アート、生活用具、車内の装飾板、硬質の製品など幅広い製品に応用することができる。
【００４２】
その表面にはもとの製品よりも比較的硬く、金属の色を具え、軽量で大量の金属を消耗することを減らし、大量の石化材料を消耗することを抑え、エネルギーを節減、環境の汚染がなく環境を保護して施工も便利で施工する製品上に塗布する場合に別に接着剤を必要としない。
【００４３】
よって、施工時間とコストを節減するとともに、美観も自然な状態に形成することができる。
【００４４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４５】
【図１】この考案の金属シートを示した側面図である。
【図２】この考案の金属シートの金属製品、シート層、シートを合わせた状態を示した側面図である。
【図３】この考案の金属シートのシートをはがした後の側面図である。
【符号の説明】
【００４６】
１ 金属製品
２ シート層
３ シート
１０ 金属シート
【図１】
0003168209.tif 000003
【図２】
0003168209.tif 000004
【図３】
0003168209.tif 000005